(57)【要約】      （修正有）【課題】ドロップイン式ガラストップコンロであって、ガラス製の天板に開設したバーナ用開口の口縁部に金属製の保護リングを装着すると共に、コンロ本体に、保護リングの下フランジ部に対向して天板の下方への撓みを制限する天板支持部材を固定するものにおいて、天板支持部材を利用して天板をコンロ本体に対し位置決めできるようにすると共に、天板を簡単には取り外せないようにする。【解決手段】天板支持部材１０に、保護リング９の筒部９１に沿うようにしてバーナ用開口３ａに挿入される立上り部１０１を形成する。立上り部１０１が位置決め用のガイド部として機能し、天板３がコンロ本体２に対し位置決めされる。また、立上り部１０１に、保護リング９の上フランジ部９２に対向する天板押え部材１１を取り付ける。【選択図】図３
2006105556.tif 000002
【特許請求の範囲】
【請求項１】
カウンタトップに開設したコンロ開口に落とし込むようにして配置されるコンロ本体と、コンロ本体の上面を覆うようにしてカウンタトップに載置されるガラス製の天板とを備えるドロップイン式ガラストップコンロであって、
天板に、コンロ本体に設けられるバーナを臨ませるバーナ用開口を開設すると共に、バーナ用開口の口縁部に金属製の保護リングを装着し、保護リングは、バーナ用開口に挿入される筒部と、バーナ用開口の口縁部の上面と下面に夫々パッキンを挟んで対向する、筒部を介して連結される上下のフランジ部とを備え、
更に、コンロ本体に、保護リングの下フランジ部に対向して天板の下方への撓みを制限する天板支持部材を固定するものにおいて、
天板支持部材に、保護リングの筒部の内周面に沿うようにして立上る立上り部が形成され、
この立上り部に、保護リングの上フランジ部に対向する天板押え部材が取り付けられることを特徴とするドロップイン式ガラストップコンロ。
【請求項２】
前記天板支持部材は、前記バーナに取り付けられ、バーナを介して前記コンロ本体に固定されることを特徴とする請求項１記載のドロップイン式ガラストップコンロ。
【発明の詳細な説明】
【技術分野】
【０００１】
本発明は、カウンタトップに開設したコンロ開口に落とし込むようにして配置されるコンロ本体と、コンロ本体の上面を覆うようにしてカウンタトップに載置されるガラス製の天板とを備えるドロップイン式ガラストップコンロに関する。
【背景技術】
【０００２】
最近は、外観性及び清掃性の良さから天板をガラス製とするガラストップコンロが市販されるようになっている。ここで、ガラス製の天板にコンロ本体に設けられるバーナを臨ませるバーナ用開口を開設する場合、バーナ用開口の口縁部への衝撃で天板の割れを生ずる可能性がある。そこで、従来、バーナ用開口の口縁部に割れ防止のための金属製の保護リングを装着したものが知られている（例えば、特許文献１参照）。尚、保護リングは、バーナ用開口に挿入される筒部と、バーナ用開口の口縁部の上面と下面に夫々パッキンを挟んで対向する、筒部を介して連結される上下のフランジ部とを備え、パッキンにより衝撃を吸収できるようにしている。
【０００３】
また、ガラス製の天板を用いる場合、天板に過大な荷重が作用すると、天板の割れを生ずる可能性がある。そこで、本願出願人は、先に特願２００３−９１８２７により、コンロ本体に、保護リングの下側のフランジ部に対向して天板の下方への撓みを制限する天板支持部材を固定し、天板の割れを防止するようにしたものを提案している。
【０００４】
ところで、カウンタトップに開設したコンロ開口にコンロ本体を落とし込むようにして配置するドロップイン式のガラストップコンロでは、天板がカウンタトップに載置されるため、コンロ本体に対し天板を直接的に位置決めすることができず、バーナに対し天板のバーナ用開口が芯ずれすることがある。天板を金属製とするものでは、コンロ本体に設けた位置決め用の突起に係合する係合孔を天板に形成して、コンロ本体に対し天板を位置決めすることができるが、ガラス製の天板では強度上このような係合孔を形成できず、天板の位置決めが困難になる。
【０００５】
また、天板となるガラス板は、上面側からの衝撃に対しては強いものの下面側からの衝撃に対しては弱いという性質がある。従って、ユーザが気安く天板を取り外して、天板の下面を硬いものにぶつけてしまうと、天板が割れる可能性がある。そのため、天板を簡単には取り外せないようにして、ユーザに注意を喚起できるようにすることが望まれる。
【特許文献１】特開２００３−３４３８４２号公報（図２）
【発明の開示】
【発明が解決しようとする課題】
【０００６】
本発明は、以上の点に鑑み、天板支持部材を利用してガラス製の天板をコンロ本体に対し位置決めできるようにすると共に、天板を簡単には取り外せないようにしたドロップイン式ガラストップコンロを提供することをその課題としている。
【課題を解決するための手段】
【０００７】
上記課題を解決するために、本発明は、カウンタトップに開設したコンロ開口に落とし込むようにして配置されるコンロ本体と、コンロ本体の上面を覆うようにしてカウンタトップに載置されるガラス製の天板とを備えるドロップイン式ガラストップコンロであって、天板に、コンロ本体に設けられるバーナを臨ませるバーナ用開口を開設すると共に、バーナ用開口の口縁部に金属製の保護リングを装着し、保護リングは、バーナ用開口に挿入される筒部と、バーナ用開口の口縁部の上面と下面に夫々パッキンを挟んで対向する、筒部を介して連結される上下のフランジ部とを備え、更に、コンロ本体に、保護リングの下フランジ部に対向して天板の下方への撓みを制限する天板支持部材を固定するものにおいて、天板支持部材に、保護リングの筒部の内周面に沿うようにして立上る立上り部が形成され、この立上り部に、保護リングの上フランジ部に対向する天板押え部材が取り付けられることを特徴とする。
【０００８】
上記の構成によれば、天板をカウンタトップに載置（セット）する際、天板支持部材の立上り部が保護リングの筒部に対する位置決め用のガイド部として機能し、この立上り部に対し保護リングを介して天板が位置決めされることになる。そして、天板支持部材はコンロ本体に固定されているため、結局、コンロ本体に対し天板が位置決めされ、コンロ本体に設けられるバーナに対するバーナ用開口の芯ずれが防止される。また、天板セット後に立上り部に天板押え部材を取り付けるが、これによれば、保護リングに天板押え部材が引掛かり、天板押え部材を取り外さない限り天板を取り外すことができなくなる。従って、ユーザが気安く簡単に天板を取り外すことはできず、ユーザに注意を喚起させて、天板の割れを未然に防止することができる。
【０００９】
尚、天板支持部材をコンロ本体に直接固定することも可能であるが、バーナに天板支持部材を取り付け、天板支持部材をバーナを介してコンロ本体に間接的に固定するようにしても良い。
【発明を実施するための最良の形態】
【００１０】
図１は、システムキッチンのカウンタトップ１にドロップイン式コンロを組み込んだ状態を示している。このコンロは、図３に示す如く、上面を開放面とする箱形のコンロ本体２を備えている。コンロ本体２の上縁には外曲げフランジ２ａが形成されており、コンロ本体２をカウンタトップ１に開設したコンロ開口１ａに落とし込んだ状態で、外曲げフランジ２ａをコンロ開口１ａの口縁部に掛止して、コンロ本体２をカウンタトップ１に吊持させている。そして、天板３によりコンロ本体２を外曲げフランジ２ａに亘って上方から覆うようにしている。尚、外曲げフランジ２ａの周縁部にはパッキン２ｂが装着されており、外曲げフランジ２ａをパッキン２ｂを介してカウンタトップ１に着座させている。
【００１１】
天板３は、セラミックガラス等の耐熱ガラスで形成されている。尚、天板３の後辺には、コンロ本体２内に燃焼用空気を取り入れる複数の通気口４ａと、これら通気口４ａを目隠しするフード部４ｂとを有する、アルミニウムの押し出し成形材で形成される枠体４が取り付けられている。天板３の下面には、その前辺から左右の側辺に亘りパッキン５が接着されている。そして、天板３を、図３に示す如く、コンロ本体２の外曲げフランジ２ａの外側において、パッキン５を介してカウンタトップ１に着座させている。また、天板３には、図１に示す如く、コンロ本体２に設けられた左右一対のバーナ６，６を臨ませる左右一対のバーナ用開口３ａが開設されている。そして、天板３上に、各バーナ用開口３ａを囲うようにして左右一対の五徳７,７を載置すると共に、天板３の前側に位置させて、左右のバーナ６，６用の左右一対の操作摘み８，８を配置している。
【００１２】
各バーナ６は、図３に示す如く、環状のバーナ本体６１に内向きの炎孔６２を多数設けて成る内炎式バーナで構成されている。バーナ本体６１は、コンロ本体２に固定の図示省略した台座に固定されている。また、バーナ本体６１上には、バーナ本体６１の周方向２箇所に固定したブラケット６３を介して環状のガイド部材６４が設けられており、ガイド部材６４によりバーナ本体６１の外方から燃焼用二次空気を炎孔６２の近傍に導くと共に、バーナ６の炎をバーナ用開口３ａ内に導くようにしている。また、バーナ本体６１で囲われるバーナ６の内周空間の下部には、この内周空間に落下する煮こぼれ汁を受ける汁受け皿６５が配置されている。
【００１３】
天板３のバーナ用開口３ａの口縁部には、口縁部への衝撃による天板３の割れを防止するため、図２、図３に示されているように金属製の保護リング９が装着されている。保護リング９は、図３に示す如く、バーナ用開口３ａに挿入される筒部９１と、バーナ用開口３ａの口縁部の上面に対向する上フランジ部９２と、口縁部の下面に対向する下フランジ部９３とを有する。筒部９１は、上フランジ部９２に一体の内筒９１ａと下フランジ部９３に一体の外筒９１ｂとの内外２重構造になっている。そして、外筒９１ｂの周方向複数箇所に、内方に突出する切り出し爪９１ｃを形成すると共に、内筒９１ａの周方向複数箇所に係合孔９１ｄを形成し、外筒９１ｂに内筒９１ａを内嵌させたとき、各係合孔９１ｄに各切り出し爪９１ｃが係合するようにしている。これにより、内筒９１ａが外筒９１ｂに不動に係止され、上下のフランジ部９２，９３が筒部９１を介して連結される。また、上下の各フランジ部９２，９３と天板３との間にはパッキン９４が介設されており、保護リング９に作用する衝撃をパッキン９４で吸収するようにしている。
【００１４】
ところで、コンロの配置部上方のレンジフードの設置工事やメンテナンス時に、作業者が不注意で天板３に足を掛け、天板３に過大な荷重が作用することがある。この場合、バーナ用開口３ａの口縁部における下方への撓みが或る限度を超えると、天板３に口縁部から亀裂が入り、天板３が割れることがある。
【００１５】
そこで、本実施形態では、バーナ本体６１の周方向２箇所のブラケット６３にねじ１０ａによりガイド部材６４と共締めされる金属製の一対の天板支持部材１０を設けている。各天板支持部材１０には、保護リング９の下フランジ部９３に僅かな隙間を存して対向する水平の受け部１０１が形成されている。かくして、天板３のバーナ用開口３ａの口縁部における下方への撓みは、受け部１０１への下フランジ部９３の当接で許容範囲内に制限される。従って、天板３に過大な荷重が作用しても、天板３が割れることはない。尚、本実施形態では、天板支持部材１０がバーナ６を介してコンロ本体２に固定されることになるが、天板支持部材１０をコンロ本体１に直接的に固定しても勿論良い。
【００１６】
また、天板支持部材１０には、受け部１０１の端部から保護リング９の筒部９１の内周面に沿うようにして立上る立上り部１０２が形成されている。立上り部１０２の高さは、後述する天板３の位置決めに必要な最小限度以上の高さ、即ち、立上り部１０２の上端が保護リング９の内筒９１ａの下端より上方に位置するような高さに設定される。尚、立上り部１０２は円弧状に湾曲しておらず、そのため、立上り部１０２の幅方向中央で切断した断面図である図３では立上り部１０２と筒部９１との間に比較的広い隙間が空いているが、立上り部１０２の幅方向両側の側縁と筒部９１との間の隙間はかなり狭くなっている。
【００１７】
また、立上り部１０２の上端には水平の屈曲部１０３が形成されており、この屈曲部１０３に金属製の天板押え部材１１をねじ１１ａにより取り付けている。天板押え部材１１は、バーナ用開口３ａ内に位置する起立板部１１１と、起立板部１１１の上端から外方に屈曲する屈曲部１１２とを有し、屈曲部１１２が保護リング９の上フランジ部９１に若干の隙間を存して対向する。尚、屈曲部１１２が上フランジ部９１に常時当接するようにしても良い。
【００１８】
天板３は、天板押え部材１１を取り外した状態でカウンタトップ１に載置（セット）されるが、この際、天板支持部材１０の立上り部１０２が保護リング９の筒部９１に対する位置決め用のガイド部として機能し、この立上り部１０２に対し保護リング９を介して天板３が位置決めされることになる。そして、天板支持部材１１はコンロ本体２に固定されているため、結局、コンロ本体２に対し天板３が位置決めされ、コンロ本体２に設けられるバーナ６に対するバーナ用開口３ａの芯ずれが防止される。尚、天板３のセット時に、保護リング９が立上り部１０２に当接しても、天板３のバーナ用開口３ａの口縁部自体には衝撃が作用せず、天板３の割れを生ずることはない。
【００１９】
天板３をセットした後に、天板支持部材１０の立上り部１０２にその上端の屈曲部１０３において天板押え部材１１をねじ１１ａ止めする。これによれば、天板３を持ち上げても、天板押え部材１１の上端の屈曲部１１２に保護リング９の上フランジ部９２が引掛かり、天板押え部材１１を取り外さない限り天板３を取り外せなくなる。従って、ユーザが気安く簡単に天板３を取り外すことはできず、ユーザが天板３を取り外してその下面を硬いものにぶつけることにより天板３を割るといった事態に陥ることを可及的に回避できる。尚、ねじ１１ａを特殊工具でしか回すことができないようにしておけば、ユーザが天板３を取り外すことをより確実に防止できる。
【００２０】
以上、内炎式のバーナ６を備えるドロップイン式ガラストップコンロに本発明を適用した実施形態について説明したが、外炎式のバーナ備えるドロップイン式ガラストップコンロにも同様に本発明を適用できる。
【図面の簡単な説明】
【００２１】
【図１】本発明の実施形態のコンロをカウンタトップに組み込んだ状態を示す斜視図。
【図２】図１のコンロの五徳を取り外した状態の要部の斜視図。
【図３】図２のＩＩＩ−ＩＩＩ線で切断した断面図。
【符号の説明】
【００２２】
１…カウンタトップ、１ａ…コンロ開口、２…コンロ本体、３…天板、３ａ…バーナ用開口、６…バーナ、９…保護リング、９１…筒部、９２…上フランジ部、９３…下フランジ部、９４…パッキン、１０…天板支持部材、１０２…立上り部、１１…天板押え部材。
【図１】
2006105556.tif 000003
【図２】
2006105556.tif 000004
【図３】
2006105556.tif 000005